(57)【特許請求の範囲】
【請求項１】
薄膜に人毛からなる毛材が植毛されており、つむじ部分を備えたかつらにおいて、
つむじの中心には植毛されておらず、
つむじを中心とする複数の系統に分けられた毛流が形成されて、全体として渦巻き状のつむじを形成しており、
毛材はキューティクルが毛先端側を開くように毛材の方向が揃えられており、
毛材の基端は薄膜を貫通し屈折して固定されており、
毛流は、植毛配列と傾斜及び／又は密度からなっており、
毛材の基端を薄膜に突き刺して貫通させ、毛流及び植毛角度に応じて薄膜から突き抜けた部分を屈折して毛材を薄膜に固定し植毛して、つむじ中心には植毛せずに渦巻き状のつむじが形成されているかつらを製造する方法であって、
作成対象の毛流をデザイン用台紙に記入して毛流が表示された植毛用デザイン台紙を作成し、
透明又は半透明の薄膜の表面又は裏面に前期植毛用デザイン用台紙を添え、
毛材はキューティクルが毛先端側を開く方向とし、毛材の基端を薄膜に突き刺して貫通させ、毛流及び植毛角度に応じて前記薄膜に毛材の基端側を突き刺し、
突き刺されて薄膜裏面に貫通した基端部を、毛材の表面側の傾斜方向とは逆方向及び／又は同方向に曲折して、毛流にあわせた植毛角度を付与し、
毛材全体の曲折又は部分的に曲折が終了した後植毛用デザイン台紙全体あるいは一部を薄膜から剥離しあるいは剥離せずに、裏面側に合成樹脂製皮膜を形成することを特徴とする植毛かつらの製造方法。 
【発明の詳細な説明】
【技術分野】
【０００１】
本発明は、薄膜に人毛からなる毛材を植設したかつらに関するものである。
【背景技術】
【０００２】
カツラは毛材を植設し、自然に似せるために分け目等によって毛髪を分けていることが多い（図１２（ａ）参照）。従来のかつらは毛の向きは３６０°放射方向に向け（図１２（ｂ）参照）、分髪は分け目を境として表面側からセットするものであった。それは、通常の美容院のセットのようなものである。その分け目が延長されていてもつむじらしき物が形成されているにすぎない。かつらは毛材で覆われたところは地肌が見えにくいが、分け目など地肌が露出するところは注意を払って製作する必要があり、植毛は分け目の基端部となる箇所を植毛基点として設計することが多い。特に、洗髪後は植毛基点から放射方向に毛が向くので、不自然さが強調される。
Ｕ字状やＶ字状に植毛した場合には、植え方に伴って先端側が開く方向となるので、隣り合う毛が相反する方向に傾くことになる。１本毎にコントロールすることも困難であり、隣接した毛が近接した箇所から生え出ているように見えるので、生え方自体に不自然さが見られ、また、植毛密度調整は、Ｕ字状あるいはＶ字状の植毛間隔を大きくする必要がありこれも不自然さの要因の一つとなる。毛の方向や傾きを整える場合は表面側からパーマネントなどの技術を施している。
特許文献１（特開２００６−１５２５２３号公報）には、植設穴を形成した薄膜にＵ字状に毛材を挿通して固定したものであって、毛材の本数や長さを変化させて植設することが開示されている。特許文献２（特開２００５−３６４３７５号公報）には、薄膜に人工毛材をＵ字状に植設し、熱線に当てて曲げクセを付けることが開示されている。特許文献３（特開２００６−４８３２１５号公報）には、表面側に薄膜を設けたネットベースのネットに毛材をＵ字状とした屈曲部を結びつけたかつらが開示されている。特許文献４（特許２８８１４００号公報）には、網目状のネットに毛材を植設したかつらであって、分け目部分に密目にしたネット部材に毛材を植設した部分植毛を設けたかつらが開示されている。
【０００３】
特許文献５（特開２００６−３３６１３３号公報）には、網目状のネットに毛材を植設したかつらであって、更にその上にネット被覆して２重ネットとし、上のネットの網目から引き出して傾斜付与したたかつらが開示されている。特許文献６（特開平１１−３５０２２５号公報）には、分け目用の部分かつらが開示されている。特許文献７（特開平８−１５８１３０号公報）には、分け目やつむじなどの部分かつらであって、装着したした後に分髪して整髪することが開示されている。これらの方法では、分け目を中心に毛髪のセットが考えられていて、つむじを設ける場合は分け目基点に設定されている。特許文献８（実公昭５４−１４１５５号公報）には、薄膜に植設した熱可塑性合成樹脂製の毛材の基部を熱溶融して焼き玉小塊を形成して毛抜け防止を施したかつらが開示されている。特許文献９（特公昭５３−４２８９０号公報）には、薄膜の下方からＵ字状に折り曲げた部分を引きだしさらに先端側を該Ｕ字部を通して引き出して毛材を固定して植設したかつらが開示されている。
【０００４】
従来の毛材の植毛方法は、線材の中間を固定して両端側をフリーとする方法、線材の基端部を輪状にくくりつける方法や薄膜の基端部を溶融して抜止用の小塊を形成する方法がある。装着者の個性に合わせて、毛材の密度や色、太さなどを選択して植毛されている。分け目など地肌が見える部分は、皮膚に似せた膜材や小網目として装着者の地肌が透けて見えないように工夫されていることが多い。毛の向きなどはヘアスタイルに合わせて植毛終了後にカットとセットを施して整えられることが多い。セットは表面側から行われるので、自然な生え方とは異なることとなって、不自然さを払拭することは困難である。
【０００５】
【特許文献１】特開２００６−１５２５２３号公報
【特許文献２】特開２００５−３６４３７５号公報
【特許文献３】特開２００６−４８３２１５号公報
【特許文献４】特許２８８１４００号公報
【特許文献５】特開２００６−３３６１３３号公報
【特許文献６】特開平１１−３５０２２５号公報
【特許文献７】特開平８−１５８１３０号公報
【特許文献８】実公昭５４−１４１５５号公報
【特許文献９】特公昭５３−４２８９０号公報
【発明の開示】
【発明が解決しようとする課題】
【０００６】
Ｕ字状やＶ字状に植設した場合（図４（ｃ）参照）は、毛抜け抵抗が大きく安定した固定が得られるが、一カ所から２本毛が生えているように見えるので、植毛密度の調整する植設間隔は自然の頭髪に比較して倍近くとることとなり、微妙な配設が難しいという問題がある。一方、一本ずつの植設方法は、密度の設定は自由にできるが溶融した小塊による毛抜け防止や輪状にして結わえ付ける等の手段によっているが、溶融小塊は熱可塑性樹脂製の毛材に適用できるが、人毛を原料とする毛材には適用できない。輪状に結わえることは大変手間がかかる。毛髪の傾斜は、表面側からセットすることが多く、根元を自然な生え方にすることは困難であった。特に、Ｕ字状やＶ字状に植設した場合は、表側から植毛された毛に傾斜を付与せざるを得ないので、植毛された根元が自然な生え方に見せることは困難であった。そして、これらの方法では、自然人の頭髪が備えているつむじを中心とする毛の流れを毛材の植設によって方向付けるとは困難であった。
本願発明は、人毛を原料とする毛材を用いて、つむじを中心とする毛流に沿った傾斜を付与した植毛を備えたかつらを開発し、提供することである。
【課題を解決するための手段】
【０００７】
本発明は、人毛を原料とする毛材を、設定された毛流にしたがって植毛し、基端側を薄膜に突き刺して薄膜の裏面に突き抜けた基端部分を曲折して固定した。つむじ中心には植毛せずに、つむじを中心とする毛流を設定して、それに合わせて人毛由来の毛材を薄膜に突き刺し、裏面側に突き抜けた基端部を曲折することにより表面側の根元から先端にかけての毛の生え方を自然にすることができることに着目し、本来のつむじを中心とした毛流を形成するものである。
【０００８】
本発明の主な構成は次のとおりである。
（１） 薄膜に人毛からなる毛材が植毛されており、つむじ部分を備えたかつらにおいて、
つむじの中心には植毛されておらず、
つむじを中心とする複数の系統に分けられた毛流が形成されて、全体として渦巻き状のつむじを形成しており、
毛材はキューティクルが毛先端側を開くように毛材の方向が揃えられており、
毛材の基端は薄膜を貫通し屈折して固定されており、
毛流は、植毛配列と傾斜及び／又は密度からなっており、
毛材の基端を薄膜に突き刺して貫通させ、毛流及び植毛角度に応じて薄膜から突き抜けた部分を屈折して毛材を薄膜に固定し植毛して、つむじ中心には植毛せずに渦巻き状のつむじが形成されていること
を特徴とするかつら。
（２）薄膜を貫通した毛材の基端部の屈折は、表面側の傾斜方向とは逆向きであることを特徴とする（１）記載のかつら。
（３）毛流は、植毛配列と傾斜及び／又は密度からなることを特徴とする（１）又は（２）記載のカツラ。
（４）複数の毛流は４つであることを特徴とする（１）〜（３）のいずれかに記載のかつ
ら。
（５）毛流の形成は、少なくともつむじ部と分け目部に形成されていることを特徴とする（１）〜（４）のいずれかに記載のかつら。
【０００９】
（６）人毛からなる毛材を薄膜に植毛する方法であって、毛材はキューティクルが毛先端側を開く方向とし、毛材の基端を薄膜に突き刺して貫通させ、薄膜から突き抜けた部分を屈折して固定することを特徴とする人毛からなる毛材を薄膜に植毛する方法。
屈折角度は１６０〜９０°の範囲である。
（７）（１）に記載されたかつらのつむじを形成する方法であって、
毛材はキューティクルが毛先端側を開く方向とし、毛材の基端を薄膜に突き刺して貫通させ、毛流及び植毛角度に応じて薄膜から突き抜けた部分を屈折して毛材を薄膜に固定し植毛することによってかつらのつむじを形成する方法であって、
つむじ中心には植毛せず、毛流及び植毛角度に応じて薄膜に植毛してかつらのつむじを形成する方法。
（８）（１）に記載されたかつらのつむじを形成する方法であって、
人毛からなる毛材を薄膜に植毛したかつらの製造方法であって、
作成対象の毛流をデザイン用台紙に記入して毛流が表示された植毛用デザイン台紙を作成し、
透明又は半透明の薄膜の表面又は裏面に前期植毛用デザイン用台紙を添え、
毛材はキューティクルが毛先端側を開く方向とし、毛材の基端を薄膜に突き刺して貫通させ、毛流及び植毛角度に応じて前記薄膜に毛材の基端側を突き刺し、
突き刺されて薄膜裏面に貫通した基端部を該基端部を毛材の表面側の傾斜方向とは逆方向及び／又は同方向に曲折して、毛流にあわせた植毛角度を付与し、
毛材全体の曲折又は部分的に曲折が終了した後植毛用デザイン台紙全体あるいは一部を薄膜から剥離しあるいは剥離せずに、裏面側に合成樹脂製皮膜を形成することを特徴とする植毛かつらの製造方法。
【発明の効果】
【００１０】
本発明の主な効果は次のとおりである。
１．本願発明によって得られるかつらは、人毛を素材とする毛材のキューティクルを自然の毛髪の方向に揃えて基端部を薄膜に突き刺し、毛流に沿った傾斜を付与した植毛を施したことにより、より自然なかつらが得られる。特に、つむじの中心に毛材が植設しないことにより、つむじ部の肌色が見えて自然性を強調することができる。つむじの中心に植毛されていると、つむじの中心部の肌が明確にならない。一本ずつ、キューティクルの方向を自然の毛髪と同方向に揃えて植えることにより、毛同士の絡みを少なくすることができ、櫛通り、セットが容易となる。また、基端部を裏面側から曲折することにより、表面側に立ち上がった毛材が自然な向きになるように植毛することが可能となった。毛流によってつむじ部分は渦巻き状に植毛されているので、洗髪後にセットがとれても、自然な渦巻き状になる。毛材を１本ずつ植設されているので、自然に適した植毛配列と傾斜及び／又は密度を実現しているので、自然な毛流れを表現することができる。
【００１１】
２．本願発明によって得られるかつらは、表面側とは逆向きに毛材の基端側を裏面側で屈折させているので、表面側の生え際の傾斜は自然に成長した毛のように見える。 
【００１３】
３．本願発明によって得られるかつらは、特に、毛流を４つに分類し、さらに４つの毛流によって形成される基本パターンを４つとして、基本類型とすることにより、製造を容易とした。 
【００１４】
４．本願発明によって得られるかつらは、毛流をつむじ部と分け目部に形成することにより、毛流の基本部分を形成したかつらを提供することができる。
【００１５】
５．本願発明は、つむじ中心には植毛せずに、各毛材の向き植毛角度を調整することにより、毛流を表現し、その毛流の中心がつむじ中心となるように形成したつむじ部分の形成方法である。刺し植による裏面側の折り曲げ方向及び折り曲げ強さによって表面側の毛材の向きは立ち上がり角度を設定しているので、つむじ部を上面から見ても自然の毛髪に類似させることができる。
６．本願発明は、人毛を原料とする毛材を１本植して毛流を形成する具体的なかつらの製造方法を提供する。特に、植毛用デザイン用台紙を用いることにより、突き刺し工程を容易にすることができる。
【００１６】
７．本提案では、多数の穴を形成した頭骨型材を用いて、薄膜に刺し植した毛材の先端側をこの穴から引き出されるように設定することにより、基端部の屈折動作を基端部側のみに付与することができ、表面側の毛材の出方、傾斜方向を自然な状態に設定することができる。頭骨型材は、頭蓋骨をモデルとしており、頭頂部は平坦から緩傾斜であって側頭部や後頭部にかけて急傾斜となる。薄膜の植毛される部分はこの必要な部分にセットされるので、傾斜に沿った刺し植方向と屈折が容易に行うことができる。例えば、頭頂部は平坦なので、屈折は直角に近くなり、毛材は表面側では立ち上がりが大きくなり、より自然な頭髪に近くなる。
８．本提案では、頭骨型材の凸側表面に薄膜を載置する場合は、頭骨型材の内側から穴を通して刺し植することにより、基端部を表面側に露出することができ、刺し植した状態で屈折及び合成樹脂皮膜を形成して、植毛状態を固定し、外してから反転して毛先側を表面に出すことができる。この場合、頭骨型材と薄膜の間に植毛用デザイン台紙を配置すると、植毛後に頭骨型材から外した状態において、植毛用デザイン台紙を引き抜くことができる。
９．本提案では、頭骨型材の裏面凹側表面に薄膜を載置する場合は、凹面側を上に向け、穴を通して外側から刺し植することにより、基端部を凹面側に露出することができ、刺し植した状態で屈折及び合成樹脂皮膜を形成して、植毛状態を固定し、内側に引き抜いて外すとそのまま毛先側を表面に出すことができる。この場合、頭骨型材と薄膜の間に植毛用デザイン台紙を配置すると、植毛後に頭骨型材から外した状態において、植毛用デザイン台紙を引く抜くことができる。
【００１７】
１０．本提案では、刺し植する前に基端部を曲折した毛材を準備し、この曲折毛材を刺し植すると、薄膜への屈折固定が容易になる。
１１．本請求項１１に係る発明は、毛材の植設を容易にする毛流が表示されたかつら製造用のデザイン台紙を提供する。
【００１８】
１２．本提案では、あらかじめ曲折加工した毛材を提供する物である。頭髪の生え角度は場所によって異なっており、あらかじめ各種の屈折角度に曲折した毛材を準備することにより、植毛箇所に応じた屈折状態の毛材を供給することができる。
【発明を実施するための最良の形態】
【００１９】
本発明のかつらは、人毛を素材とする毛材をキューティクルが先端側が向くように揃えて薄膜に植設して、基端側を曲折して固定して、つむじを中心とする毛流を形成したかつらである。曲折方向は主に毛流の傾斜と逆方向とする。本発明のかつらは、つむじの中心に植設せずに地肌が見えるようにし、ここを中心に毛流を形成するように植毛したかつらである。つむじは毛流によってそれぞれ個性ある渦巻き状に形成される。
薄膜から突き出た基端部側を屈折して、毛先側に屈折が生じないように、多数の穴あきの頭骨型材を用い、毛先端側が穴から下向きになるようにセットした状態とし、薄膜から突き出た基端部側を加熱したアイロンや鏝等を利用して、頭骨型材に押し付けて屈折処理を施し、その状態で更に合成樹脂を塗布して屈折及び方向を固定するものである。特に、頭蓋骨を模した多数の穴あき頭骨型材を利用することにより、植毛箇所に応じた屈折角度を設定することが容易となる。
したがって、つむじ中心に植毛することなく毛流によってつむじを形成したかつらを提供でき、自然の頭髪により近いかつらとなる。
本願発明のかつらは、つむじを中心とする毛流を形成する植毛部分は、薄膜に毛材を刺し植植毛するものであり、他の部分はメッシュ状の基材を組み合わせても良い。
本願発明のかつらは、つむじ部を含む部分かつらあるいは全かつらに適用できる。一般的には、部分かつらに適用される。
【００２０】
（毛流、つむじについて）
頭髪は毛の生えている向きや傾斜が特徴付けられていて、隣接する毛同士が一定の方向に向く毛の流れが見られる。例えば、（１）フロント方向の毛の流れ、（２）右耳方向の流れ、（３）左耳方向の毛流れ、（４）左襟足方向の毛流れ、（５）右襟足方向の毛流れの５の方向の毛流がある（図１（ａ）参照）。また、頭髪の地肌から２０〜９０°の角度をもって発毛していることが分かる（図２参照）。頭の形は頭頂部は平坦から緩傾斜であり、側頭部から後頭部にかけては傾斜が大きくなっている（図１（ｂ）参照）。発毛角度もこれらの頭の場所によって異なっており、主に頭頂部で大きく、周辺部では小さくなっている。頭髪全体は、これらの毛の流れと発毛角度によって形成される毛流を備えている。特に、渦巻き状のつむじは毛流が明確で、各自の個性を表している。本願発明では、つむじを明確に構成したかつらを提供し、装着者の個性を表現できる。つむじ中心ＧＰと顎の先端と耳上とは直線状に位置している（図１（ｂ）参照）のが普通であって、これらの毛流の中心につむじが形成されていることが多い。本発明者はこの本来のつむじに沿った毛の流れを表すかつらの実現を希求している。
研究過程において、つむじの形や頭髪の毛の向きなどに個性があるが、つむじを中心に基本的に４タイプに分けることができることに気付いた。この基本４タイプを基礎に、各装着者の個性に合わせて微修正を加えることにより作成対象のかつらを設計することが容易になる。また、基本パターンがあると、製作担当者も作業を標準化ができるので容易になる。
【００２１】
つむじを中心として４種類の標準毛流を図３に示す。小さい頭向きの毛流（Ａタイプつむじ部分毛流）、大きい頭向きや女性向きの毛流（Ｂタイプつむじ部分毛流）、若い人向きの毛流（Ｃタイプつむじ部分毛流）、女性向きや大きい頭向きの毛流（Ｄタイプつむじ部分毛流）である。これらのパターンではつむじの中心に植毛指示は無い。
【００２２】
この頭髪の毛流に沿った毛髪は、方向性、角度、密度、太さ、色などの要素が関連している。本願発明は、頭皮に相当する薄膜３０に対して、１本毎（２０ａ、２０ｂ、・・・・）に刺し植し、裏面に突出した部分である基端部２１を折り曲げて、表面側に現れた部分に傾斜方向及び角度を付与して、あたかも頭皮から自然に生えた様に表現するものである（図４（ｂ）参照）。裏面の折り曲げ方向は表面側とは逆向きにするのが一般的とする。特に流れに対して大きな角度を付けたい場合や復帰弾性を強くする場合は表側と同じ方向に折り曲げることによりバネ力によって立ち上がり力を大きくすることができる。
これに対して、Ｕ字状やＶ字状に植毛した場合には、従来技術に記載されるように１本毎にコントロールすることも困難であり、近接した生え方や隣接する毛先の方向が違うなど生え方自体に不自然さが見られ、また、広い間隔に植毛密度調整も不自然さの要因の一つとなる（図４（ｃ）参照）。パーマネントによって毛の方向や傾きを整える他はない。
【００２３】
（人毛について  ）
本発明では、人毛を毛材として使用する。人毛は、色、形、断面形状、太さ、癖毛などによって様々であり、かつら着用者の希望や個性に合わせて組み合わせて用いられる。人毛の構成は、タンパク質の１種のケラチンが主成分であり、硬軟ある内の硬質のケラチンが主成分である。断面構造は中心部がメデュラ（毛髄質）、外側がキューティクル（毛表皮）、中間がコルテックス（毛皮質）となっている（図４（ａ）参照）。キューティクルは半透明の鱗状の形をしており、根元から毛先の方向へ少しずつずれながら重なっている。キューティクルは毛のツヤや光の反射に影響し、自然の頭髪では根元側から毛先に向かって開く状態で重なっており、根元側から毛先へ向かって櫛通りがよい状態に揃っている。毛先から根元に向かっては逆撫で状態となるので、キューティクルを揃えることが重要である。
【００２４】
本願発明は、自然の毛髪とキューティクルが同じ方向に薄膜に植毛するので、ツヤや櫛通りも自然である。Ｕ字状やＶ字状植毛は、抜け防止抵抗は強いがキューティクルの方向が逆向きになるので、毛同士が絡まりやすく櫛通りも悪く、ツヤや光の反射に不自然さが生ずる。
【００２５】
また、人毛のタンパク質であるケラチンはシスチンというアミノ酸が多く、アミノ酸の長鎖同士を側鎖のシスチン結合や水素結合などによって結合している。パーマによるセットはこのシスチン結合の位置をずらすことにより毛髪に癖を付けている。癖付けは、他の水素結合の側鎖の位置をずらしたりすることや熱によることも可能である。かつらの髪型のセットは装着者の好みに合わせて、パーマ技術などが施される。本願発明は、植毛段階で個々の毛材に向き、角度を付与しており、さらに、着用者に合わせてカット、パーマ仕上げなどを施すことができる。なお、熱可塑性合成樹脂製繊維を毛材とする人工毛は、加熱変形して癖付けすることができ、高温で溶融させることもできるので、植毛した薄膜の裏面側に抜止用の溶融小塊を形成することもできる。しかし、キューティクルを形成することは困難である。
本発明で用いる毛材としては、基端部をあらかじめ予備的に屈折加工した屈曲毛材を用いることができる。例えば、図４（ｂ）に示される屈曲を形成した毛材である。屈曲の程度は各種準備し、毛流のデザインにしたがって、適当な屈曲毛材を植設することができる。
【００２６】
（製法について）
１．装着者の個性に合わせてつむじデザイン４１を中心に毛流デザイン台紙４０を作成し、装着する頭部の形状に適合する薄膜３０と重ね合わせて準備する（図５参照）。
２．植毛する毛材２０を準備し、キューティクルが同一方向に向くように植毛する毛材の方向を揃える。
３．多数の穴５３が設けられた頭骨型材５０を準備し、作業台５４にセットする（図６（ａ）（ｂ）参照）。
４．透明あるいは半透明薄膜３０と毛流デザイン台紙４０を重ね、頭骨型材５０に固定する。
５．デザインに合わせて毛材２０を突き刺し、刺し植する。
例えば、頭骨材型材５０の上に毛流デザイン台紙４０と薄膜３０が重ねて載置された状態において、毛材２０を下方から穴５３を通して突き刺して、基端部２１を引き出して刺し植する。刺し植はデザインされた毛流に応じて、垂直刺し植４３あるいは斜め刺し植４４とする（図６（ｄ）参照）。
【００２７】
６．穴５３から毛先側２２が引き出されるように頭骨型材５０にセットし、薄膜から突き出た毛材部分の基端部２１を屈折する。
例えば、図６（ｄ）に示す模式図では、穴５３を通して毛材２０が刺し植されているので、刺し植過程で既に、毛先側２２が穴５３から引き出された状態となっている。高温に加熱された小さなこて先等を毛材の基端部２１に押し当てて、毛流に合わせて屈折加工４５を施す。頭骨型材５０が受け面となり基端部側に屈折処理行うことができ、毛先側には折れグセがつかないので、自然な頭髪の発毛状態を表すことができる。屈折加工は刺し植途中に部分ずつ行うことも、全体に行うこともできる。図６（ｄ）に示すように下方から毛流デザインに合わせて刺し植すると、デザインに応じて、適宜部分的に屈折加工を施すことができるので、精緻製あるいは個性の強い特異な毛流デザインを実現することが容易となる（図６（ｄ）参照）。なお、この模式図とは逆に上から下に向けて刺し植しても良く、その場合は、刺し植終了後反転して、穴５３から毛先２２を引き出す作業が必要となる。
７．折り曲げ加工した後に薄膜裏面に合成樹脂を塗布する。
この樹脂塗布は、部分的に行うこともできる。また、上記５に記載するように、屈折処理を随時行うような場合には、屈折加工に即して仮留め処理として、軽い接着処理を行うこともできる。
８．塗布した合成樹指表面を加熱加圧して基端部の固定を確実にして、植毛を完成する。
例えば、過熱加圧は小型のアイロンのようなものを使用して、裏面から見たつむじの渦の方向に、合わせて渦を巻くように行うことにより、基端部の方向を設定させて固定するのに有用である。
【００２８】
（各種  構成部品について）
＜薄膜＞
薄膜は合成樹脂製の透明性のフィルムであり、かつらのベースとなる。加熱されたこて等が接触するので、耐熱性を備えている。熱硬化性合成樹脂製が好ましい。厚さは、０．０５〜０．２ｍｍ程度であって特に限定されることはない。形状は頭の形に沿った湾曲状にしていることが好ましい。ポリウレタン樹脂やシリコン系樹脂フィルムが使用される。植毛用デザイン台紙の記入にしたがって刺し植するのでデザインが見えるように透明あるいは半透明である。表面側は皮膚感を表現するためにスキン仕上げが好ましい。薄膜の大きさはつむじ部分を構成する毛流を形成する大きさを備えている。頭全表面を覆う大きさとするか、つむじ部と分け目部の大きさとするか作成するかつらの設計にしたがって設定することができる。
【００２９】
＜デザイン用台紙＞
デザイン型紙は、透明フィルムなどに、刺し植箇所を点状に記入して着用するユーザーに合わせた毛流を記入する。毛流は、前記した５つの基本毛流毎に色分けして分かり易いように工夫することができる。例えば、装着者に適するつむじデザイン４１を行い、全体植毛を構成して毛流デザイン台紙４０を作成する（図５参照）。
【００３０】
＜頭骨型材＞
頭骨型材５０は、頭蓋骨を模した形状の湾曲部材であって、全面に多数の穴５３が開けられている。材質は、金属製、合成樹脂製であり、透明あるいは透けて見えるようにする。メッシュ状あるいはパンチングにすることも可能である。
作成するかつらの大きさ（装着者の大きさ）に合わせて、複数の大きさを準備する。また、つむじ部を含む部分カツラ用のお椀型形状あるいは全頭カツラ用の頭髪部全体をカバーする形状とする。
この頭骨型材は、薄膜とデザイン用台紙を載せて固定し、毛材を刺し植する用途に用いられるから、植毛密度を満足できるように穴が開けられている必要がある。また、突き出した毛材の基端部を高熱のアイロンなどを推し当てて、屈折させるので、耐熱性及び十分な強度が必要である。
【００３１】
＜固定樹脂＞
裏面塗布樹脂は、ポリウレタン系樹脂やシリコン系樹脂などを使用することができる。皮膚の色に着色すると人工皮膚感の創出に有効である。
【００３２】
＜植毛デザイン全体図＞  
かつらの植毛デザイン全体の例を図７に示す。図７は、本発明のつむじデザインＤパターンを利用した例である。つむじを中心に渦巻き状に植毛指示が、（１）フロント方向の毛の流れ、（２）右耳方向の流れ、（３）左耳方向の毛流れ、（４）左襟足方向の毛流れ、（５）右襟足方向の毛流れの５の方向の毛流が曲線状に示されている。この図は、カラー表示することにより、毛流区分が明確になり、作業性が正確で容易となる。また、本発明でも植毛後に装着者の希望に合わせて調髪、整髪されるが、洗髪後には、この毛流が現れるので、自然な頭髪状態に近い表現となる。これに対して、図８に示す従来例では、つむじ中心を植毛基点として表示され、この中心点から放射状に植毛指示が示され、前頭、側頭、後頭に向けた植毛が指示されている。このような指示図に基づく植毛は、植毛後に整髪して形を制御される。このような状態では、洗髪後に素早く、整髪する必要がある。
【００３３】
＜Ｌ形毛材＞
この例は、植毛する前に毛材の基端部を屈折処理して、クセ付けをした毛材を用いる例である。あらかじめ屈折処理した毛材であるＬ形毛材７１を図９に示す。Ｌ形毛材７１の折り角θは、頭髪の発毛に合わせて各種の角度としてＬ形毛材７１ａ・・・・７１ｚを準備することができる。これを植毛デザインにしたがって、刺し植すると植毛角度と方向性の設定が容易となる。
【００３４】
Ｌ形毛材７１の折り角θは、頭髪の発毛に合わせて各種の角度としてＬ形毛材７１ａ・・・・７１ｚを準備することができる。これを植毛デザインにしたがって、刺し植すると植毛角度と方向性の設定が容易となる。
【００３５】
屈折処理を施す手段を図１０に示す。固定台７５ａと角度付き固定台７５ｂとを隙間を明けて配置し、下方に可動台７５ｃを設けた折り曲げ冶具７５を準備する。固定台７５ａと角度付き固定台７５ｂの隙間に毛材７０を挟み込んで固定し、可動台７５ｃを角度付き固定台７５ｂ側に移動して押し付けて、毛材を屈折する。可動台を加熱可能とすると曲折固定される。曲折加工の前処理としては、薬剤処理などを施すと、より強固な角度固定ができる。人毛は弾力性があり、屈折固定が難しいが、植毛する前にクセ付けとすると、設定角度を正確にすることができ、植毛デザインを実現する精度が向上する。
【００３６】
植毛した毛材を、折り曲げ、薄膜に固定処理することは、人毛が弾力性あり、刺し植した直毛を後処理するには熟練を要する。あらかじめ屈折処理したＬ形毛材７１の基端部７２は、薄膜３０に容易に沿わせることができるので、基端部７２にホットメルト接着剤などを事前処理すると、刺し植直後に、点着け状態に固定処理が可能となり、毛流に沿った方向性に合わせることも容易となる。薄膜にホットメルト樹脂を添着しても同様である。この場合、つむじの毛流を明確にする付近に部分適用することも可能である。
【図面の簡単な説明】
【００３７】
【図１】つむじ毛流模式図  （ａ）５つの毛流の方向を示す図、（ｂ）人頭側面図
【図２】頭髪の発毛角度を示す図
【図３】標準毛流を示す図、（ａ）Ａタイプ、（ｂ）Ｂタイプ、（ｃ）Ｃタイプ、（ｄ）Ｄタイプ。
【図４ａ】人毛状態図の人毛部分拡大図
【図４ｂｃ】人毛状態図の（ｂ）刺し植図、（ｃ）Ｖ植毛図
【図５】薄膜と毛流デザイン台紙重合状態図
【図６】植毛作業要部を示す図
【図６ｄ】植毛作業要部、屈折工程を示す図
【図７】本発明Ｄタイプ植毛パターン全体デザイン例
【図８】従来の植毛指示図例
【図９】Ｌ形毛材の例
【図１０】Ｌ形毛材作成例
【図１１】基端部屈折接着例
【図１２】つむじ部の従来例  （ａ）放射形、（ｂ）分け目延長形
【符号の説明】
【００３８】
１０  つむじ
２０  毛材
２１  基端部
２２  先端側
３０  薄膜
３１  接着層
４０  毛流デザイン台紙
４１  つむじデザイン
４２  刺し植途中
４３  垂直刺植
４４  斜刺植
４５  屈折
５０  頭骨型材
５１  作業テーブル
５２  設置穴
５３  穴
５４  台
６１  Ｄパターン全体デザイン例
７０  毛材
７１  Ｌ形毛材
７２  基端部
７３  毛髪部
７４  接着剤
７５  折り曲げ冶具
７５ａ  固定台
７５ｂ  角度付固定台
７５ｃ  可動台
７６  加熱接着
１００  従来植毛指示図例
ＧＰ  つむじ中心
【要約】
【課題】人毛を原料とする毛材を用いて、つむじを中心とする毛流に沿った傾斜を付与した植毛を備えたかつらを開発し、提供する。
【解決手段】  少なくとも薄膜に人毛からなる毛材を植毛した部分を備えたかつらにおいて、つむじの中心には植毛されておらず、つむじを中心とする複数の系統に分けられた毛流が形成されて、全体として渦巻き状のつむじを形成しており、毛材はキューティクルが毛先端側を開くように毛材の方向が揃えられており、毛材の基端は薄膜を貫通し屈折して固定されているかつら。
【選択図】  図７【図１】
0004216320.tif 000002
【図２】
0004216320.tif 000003
【図３】
0004216320.tif 000004
【図４ｂｃ】
0004216320.tif 000005
【図５】
0004216320.tif 000006
【図６】
0004216320.tif 000007
【図６ｄ】
0004216320.tif 000008
【図７】
0004216320.tif 000009
【図８】
0004216320.tif 000010
【図９】
0004216320.tif 000011
【図１２】
0004216320.tif 000012
【図４ａ】
0004216320.tif 000013
【図１０】
0004216320.tif 000014
【図１１】
0004216320.tif 000015